(57)【要約】  【課題】肘掛け装置が背もたれと一緒に後傾する椅子において、肘掛け装置の支持強度を向上させる。  【手段】椅子のベース９に、背もたれ４を支持する左右一対の揺動アーム９が後傾動可能に取付けられている。揺動アーム９は、後向き部１３ａと起立部１３ｂとを備えている。肘掛け装置５は、肘当て部５ａと、その前部から下向きに延びる支持部５ｂと、肘当て部５ａの後端に設けた下向きの足部５ｄとを備えており、支持部５ｂは揺動アーム１３の後向き部１３ａに固定し、足部１３ｄはブラケットを介して起立部１３ｂに固定している。肘掛け装置５と揺動アーム１３とが側面視でループの形態を成すため、両者が補強しあって堅牢な構造になる。【選択図】      図１
2005073872.tif 000002
【特許請求の範囲】
【請求項１】
脚支柱の上端に設けたベースに、背もたれを支持する揺動アームを、ばね手段の弾性に抗して後傾動し得るように取り付け、更に、肘掛け装置を備えている椅子であって、
前記肘掛け装置を、着座者の肘部が載る略水平状の肘当て部と、肘当て部を下方から支持する支持部とを備えた形態にして、支持部の下端は揺動アームに固定し、肘当て部の後端は揺動アーム又は背もたれに固定している、
肘掛け装置付きの椅子。
【請求項２】
前記揺動アームは、略前後方向に延びる後ろ向き部とその後端から略上向きに立ち上がる起立部とを備えた形態になっており、肘掛け装置における支持部の下端を揺動アームの後向き部に固定し、肘掛け装置における肘当て部の後端は揺動アームの起立部と背もたれとのうち何れか一方又は両方に固定している、
請求項１に記載した肘掛け装置付き椅子。
【請求項３】
前記揺動アームはベースの左右両側に一対配置されている一方、
前記肘掛け装置における肘当て部の後端には、揺動アームの起立部と直線状に延びる足部を一体に設けており、左右肘掛け装置の足部と左右揺動アームの起立部との４者を背もたれの心材に固定している、
請求項２に記載した肘掛け装置付き椅子。
【発明の詳細な説明】
【技術分野】
【０００１】
本願発明は、肘掛け装置付きの椅子に関するものである。
【背景技術】
【０００２】
背もたれが後傾動する椅子に肘掛け装置を設ける場合、一般に、座板の下面にねじ止めで固定していることが多い。しかし、これでは背もたれが後傾動すると背もたれと肘掛け装置との間隔が広がるため、ロッキング時に着座者に違和感を与える虞があった。
【０００３】
他方、肘掛け装置をベースに後傾動可能に取り付けて、肘掛け装置に背もたれを取り付けることも一部で行われるているが、これでは、背もたれの後傾角度をあまり大きくすることができないためロッキング機能が低いのみならず、背もたれの後傾動に座を連動して後傾動（及び後退動）させることはできないため、いわゆるシンクロ椅子には適用できないという問題がある。
【０００４】
また、肘掛け装置はユーザーのオプションで取り付けたり取り付けなかったりすることが多いが、肘掛け装置に背もたれを取り付ける、肘掛け装置がないタイプの椅子は揃えることができないという問題もある。
【０００５】
これに対して本願出願人は、特許文献１において、ベースに後傾動自在に取り付けられた揺動アームに背もたれを取り付けて成る椅子において、揺動アームに肘掛け装置を着脱可能に取り付けることを開示した。
【特許文献１】特開２００２−１７２０４０号公報
【発明の開示】
【発明が解決しようとする課題】
【０００６】
特許文献１の構成によると、肘掛け装置はロッキング式椅子に付加的に設けるものであるため、肘掛け装置を設けることによってロッキング機能を損なうことはない。また、肘掛け装置は揺動フレームに後付けするものであるため、椅子としては、肘掛け装置を備えているものと備えていないものとで１種類の揺動フレームを用意しておけばよく、品揃えも支障無く行える。更に、シンクロ椅子にも支障無く適用することができる。
【０００７】
本発明はこの先願発明を更に発展させたもので、より堅牢な状態に取付けできるようにしたものである。
【課題を解決するための手段】
【０００８】
請求項１の発明では、脚支柱の上端に設けたベースに、背もたれを支持する揺動アームを、ばね手段の弾性に抗して後傾動し得るように取り付け、更に、肘掛け装置を備えている椅子において、前記肘掛け装置を、着座者の肘部が載る略水平状の肘当て部と、肘当て部を下方から支持する支持部とを備えた形態にして、支持部の下端は揺動アームに固定し、肘当て部の後端は揺動アーム又は背もたれに固定している。
【０００９】
請求項２の発明は、請求項１において、前記揺動アームは、略前後方向に延びる後ろ向き部とその後端から略上向きに立ち上がる起立部（背支柱部）とを備えた形態になっており、肘掛け装置における支持部の下端を揺動アームの後向き部に固定し、肘掛け装置における肘当て部の後端は揺動アームの起立部と背もたれとのうち何れか一方又は両方に固定している。
【００１０】
請求項３の発明は、請求項２において、前記揺動アームはベースの左右両側に一対配置されている一方、前記肘掛け装置における肘当て部の後端には、揺動アームの起立部と直線状に延びる足部を一体に設けており、左右肘掛け装置の足部と左右揺動アームの起立部との４者を背もたれの芯材（基板）に固定している。固定手段はねじ止めが簡単で良い。
【発明の効果】
【００１１】
本発明によると、揺動アームと肘掛け装置と、又は揺動アームと背もたれと肘当て部とが側面視でループ状に連続するため、部材同士が互いに補強し合って高い強度を確保できる。このため、肘掛け装置を薄肉化することも簡単に実現できる。
【００１２】
特に、請求項２のように構成すると、左右揺動アームの起立部と左右肘掛け装置のリア足部とがブラケットで一体に連結され、しかもブラケットは背もたれに固定されているため、肘掛け装置と揺動アームと背もたれとが互いに補強し合う状態になり、より堅牢な構造になる利点がある。
【発明を実施するための最良の形態】
【００１３】
次に、本願発明の実施形態を図面に基づいて説明する。図１〜図８では第１実施形態を示している。
【００１４】
(1).概要
まず、図１〜図４に基づいて概要を説明する。図１は右側面図、図２は正面図、図３は背面図、図４は部分的な斜視図である。
【００１５】
椅子は、脚装置１と支基部２と座部３と背もたれ部４と肘装置５とを備えている。脚支柱１は、先端にキャスター６を設けた枝足部７と、枝足部７の中心部に高さ調節自在に設けた脚支柱（ガスシリンダー）８とを備えている。
【００１６】
他方、支基部２は、脚支柱８の上端に固定したベース９を備えており、このベース９で座部３を支持している。詳細は省略するが、座部３は座板（座インナーシェル）の上面にクッション材を張った構造になっており、中間部材１０に取り付いている。
【００１７】
中間部材１０は金属板製で正面視下向き開口コ字状の形態であり、左右側板の前部は第１軸１１でベース９に連結されているが、ベース１１における第１軸１１の挿通穴１２は前後方向に長い長穴としており、このため、中間部材１０（及び座部３）は後退動しつつ後傾動し得る。
【００１８】
ベース９は上向きに開口した箱状に形成されており、その左右側方に揺動アーム１３を配置している。揺動アーム１３は、側面視後傾した姿勢で前後方向に延びる後ろ向き部１３ａと、その後端から略上向きに立ち上がった起立部１３ｂとを備えていて全体として側面視略Ｌ字状の形態になっており、後ろ向き部１３ａの前端は、左右長手の第２軸１４によってベース９に後傾動自在に連結されている。
【００１９】
また、揺動アーム１３における後ろ向き部１３ａと中間部材１０とは、左右長手の第３軸１５で連結されている。このため、揺動アーム１３（及び背もたれ４）が後傾すると、座部３も後退動及び後傾する。ベース９の内部には揺動アーム１３の後傾動を弾性的に支持するばね手段（例えばコイルばね）が配置されている。ばね手段の弾性力は摘まみ１６で調節し得る。
【００２０】
(2).細部の詳細
次に、図５以下の図面も参照して詳述する。図５は主要部材の斜視図、図６は肘掛け装置５の側面図、図７のうち（Ａ）は揺動アーム１３における後ろ向き部１３ａの断面図、（Ｂ）は図６の VII-VII矢視方向から見た状態での締結箇所の断面図、図８は図３のVIII−VIII視断面図である。
【００２１】
揺動アーム１３は例えばアルミ等のダイキャスト製品（樹脂製品や板金製品等でも良い）であり、後向き部１３ａは、図７（Ａ）に示すように、全体として平坦状でかつ下面は左右外側に向けて上傾した傾斜面１３ａ′になっている（もちろん、他の断面形状でも良い）。
【００２２】
また、揺動アーム１３の後向き部１３ａは中空状になっており、内部には適当な間隔で多数の補強リブ１８を形成している。揺動アーム１３の起立部１３ｂには上向きに開口した穴が空いている。なお、後向き部１３ａと起立部１３ｂとは緩く湾曲した状態に連続しても良いのであり、両者の境界を特に明確に定める必要はない。
【００２３】
肘掛け装置５は、上面にパット５′を設けた肘当て部５ａと、その前端に滑らかに連続しながら斜め後方に向けて延びる支持部５ｂと、肘当て部５ａの後端から背もたれ４の裏側に向けて略水平状に延びる内向き部５ｃと、内向き部５ｃの先端から下向きに延びる足部５ｄとを備えている。
【００２４】
支持部５ｂの先端は瘤状に膨れた取付け部５ｅになっており、この取付け部５ｅを揺動アーム１３における後向き部１３ａの傾斜面１３ａ′にねじ（ボルト）２０で締結している。ねじ２０は取付け部５ｅに斜め下方から挿入されているので、ねじ２０の頭及び取付け穴が人目に触れることはなく、このため、単にねじ２０で締結しただけであっても美観の問題は生じない。
【００２５】
本実施形態では、パット５′もねじ止めしており、このため支持部５ａにはねじが挿通する穴２１が空いている。もちろん、パット５′は接着剤で固定するなどしても良い。
【００２６】
図８に示すように、背もたれ４は、合板等の木製基板２８と、その前後両面に張ったクッション材２９と、表裏のクッション材２９をすっぽり包む袋状の表皮材３０とで構成されており、揺動フレーム１３の起立部１３ｂと肘掛け装置５の足部５ｄとに貫通したねじ（ビス）１７を基板２８にねじ込むことにより、背もたれ４と肘掛け装置５と揺動アーム１３とを一体化している。
【００２７】
ねじ１７は足部５ｄと起立部１３ｂとに挿通した連結棒２２に貫通している。また、背もたれの基板２８には鬼目ナット１７′を埋没している。なお、ねじ１７は必ずしも連結棒２２に貫通させなくてもよい。
【００２８】
以上の構成において、肘掛け装置５と揺動アーム１３とはループ状の形態になっているため、肘掛け装置５の取付け強度を格段に向上することができる。このため、肘当て部５ａや支持部５ｂを薄肉化してすっきりしたデザインとすることも簡単に実現できる。また、肘掛け装置５の支持部５ａは支持強度に優れているため、前後方向に長く延びる形態とすることも簡単に実現できる。
【００２９】
本実施形態のように、肘掛け装置５の足部５ｄと揺動フレーム１３の起立部１３ｂとをねじ１７で背もたれ４に直接に締結すると、構造が簡単となってコストダウンでき利点がある。肘掛け装置５の内向き部５ｃを背もたれ４にねじで締結することも可能である。なお、背もたれ４は他の構造でも良い。
【００３０】
図示していないが、揺動フレーム１３の起立部１３ｂには上向きの穴が空いている一方、肘掛け装置５の足部５ｄには下向きの穴が空いており、両部材の穴にパイプ又は棒等の連結材を差し込んでいる。このため、足部５ｄと起立部１３ｂとの一体性が高まって、連結強度がより高くなっている。
【００３１】
なお、肘掛け装置や５や揺動アーム１３の側面形状は自由に設定することができる。例えば、図１に一点鎖線で示すように、肘掛け装置５の支持部５ｂを肘当て部５ａの前後中途部から下向きに延出した形態としても良い。支持部５ｂを複数本設けることも可能である。更に、支持部５ｂを薄い板状に形成することも可能である。
【００３２】
また、揺動アームを左右に分離した構成とせずに全体として一体構造とすることも可能である。また、揺動アームの後向き部と起立部とを別部材として、互いに連結することも可能である。更に、肘掛け装置や揺動アームに、本実施形態のブラケットに相当する部材を一体に形成することも可能である。
【００３３】
(2).他の実施形態（図９〜図11）
図９〜図１１では他の実施形態を示している。この実施形態はブラケットを介して肘掛け装置５と揺動アーム１３と背もたれ４を一体に固定したものである。図９は背面図、図１０は図９の X-X視断面図、図１１は図９のXI−XI視断面図である。
【００３４】
この例では、揺動アーム１３の起立部１３ｂと肘掛け装置５の足部５ｄとにブラケット２３をビス２４で締結することにより、２本ずつの足部５ｄと２本ずつの起立部１３ｂの四者を一体に連結している。ビス２４は連結棒２２にねじ込まれている。
【００３５】
ブラケット２３は、起立部１３及び足部５ｄに内側から重なる平面視Ｌ字状の縦部材２３ａと、左右の縦部材２３ａに重なった横部材２３ｂとに分離しており、縦部材２３ａと横部材２３ｂと背もたれ４とをビス２５で共締めしている。もちろん、ブラケット２３は１枚の金属体を折曲げることによって形成しても良いし、また、複数の部材で構成する場合、横部材２３ｂは１枚又は３枚以上でも良い。ブラケット２３は後方からカバー２６で覆われている。
【００３６】
この例では、ビス２５８を背もたれ４の基板２８に直接ねじ込んでいるが、第１実施形態と同様に鬼目ナットを使用してもよい。
【００３７】
(3).その他
本発明は上記の実施形態の他にも様々に具体化することができる。例えば、肘掛け装置と揺動アームとを一体構造とすることも可能である。但し、肘掛け装置を備えている椅子と備えていない椅子とで揺動アームを共用するためには、本実施形態のように別体に構成するのが好ましい。
【００３８】
肘掛け装置における肘当て部の後端部を揺動アームの起立部のみに固定したり、背もたれを肘掛け装置の肘当て部に締結して、揺動アームの起立部を肘掛け装置の肘当て部に締結するといったことも可能である。
【図面の簡単な説明】
【００３９】
【図１】本実施形態の右側面図である。
【図２】正面図である。
【図３】背面図である。
【図４】部分的な斜視図である。
【図５】主要部材の斜視図である。
【図６】肘掛け装置５の側面図である。
【図７】(A)は揺動アームにおける後ろ向き部の断面図、 (B)は図６の VII-VII矢視方向から見た状態での支持部の締結箇所の断面図である。
【図８】図３のVIII−VIII視断面図である。
【図９】一部破断背面図である。
【図１０】図８のX−X視断面図である。
【図１１】図８のXI-XI視断面図である。
【符号の説明】
【００４０】
１  脚装置
２  支基部
３  座部
４  背もたれ
５  肘掛け装置
５ａ  肘当て部
５ｂ  支持部
５ｄ  足部
１３  揺動アーム
１３ａ  後向き部
１３ｂ  起立部
２３  ブラケット
【図１】
2005073872.tif 000003
【図２】
2005073872.tif 000004
【図３】
2005073872.tif 000005
【図４】
2005073872.tif 000006
【図５】
2005073872.tif 000007
【図６】
2005073872.tif 000008
【図７】
2005073872.tif 000009
【図８】
2005073872.tif 000010
【図９】
2005073872.tif 000011
【図１０】
2005073872.tif 000012
【図１１】
2005073872.tif 000013